(57)【特許請求の範囲】
【請求項１】
連結部の両端部に立上げ線部とその上端面部に係止凹部をそれぞれ形成したプロテクター係止部材をベゼルのプロテクター固定部に複数装着すると共に、プロテクター係止部材を前記ベゼルを介して時計ケースに固定し、プロテクター部とその左右の先側に係止突起部とが形成されたガラスプロテクターをガラスの上面を覆うようにすると共に、前記係止突起部を前記係止凹部に係脱可能に係止したことを特徴とするガラスプロテクター固定構造。
【請求項２】
ベゼルにプロテクター固定部を複数形成し、ガラスプロテクターの弾性を利用してこのガラスプロテクターを前記プロテクター固定部に固定したことを特徴とするガラスプロテクター固定構造。
【請求項３】
前記ガラスプロテクターを線材を屈曲成形して構成した請求項１又は請求項２記載のガラスプロテクター固定構造。
【請求項４】
前記ガラスプロテクターのガラスの上面を覆うプロテクター部に模様、絵柄、文字、マークの少なくとも一つが形成されている請求項１又は請求項２又は請求項３記載のガラスプロテクター固定構造。
【発明の詳細な説明】
【０００１】
【産業上の利用分野】
本発明は、腕時計等のガラスプロテクター固定構造に関するものである。
【０００２】
【従来の技術】
従来のこの種のガラスプロテクター固定構造として実開平１−１２０６８９号公報に開示された技術がある。この開示技術は、図１４及び図１５に示すようにガラスプロテクター６０を時計ケース６１の上面に張り渡し、このガラスプロテクター６０の両端部６２、６３を時計ケース６１の両側面を通り裏面側に折り曲げて係脱可能に引っ掛けることにより、ガラスプロテクター６０を時計ケース６１に装着したものである。
【０００３】
【発明が解決しようとする課題】
しかしながら、上記従来のガラスプロテクター固定構造にあっては、ガラスプロテクター６０を時計ケース６１に装着するのに、ガラスプロテクター６０の両端部６２、６３を時計ケース６１の両側面を通り裏面側に折り曲げて係脱可能に引っ掛けるようにしているために、デザイン変化に乏しいし、また、時計を腕に装着したとき、前記ガラスプロテクター６０の両端部６２、６３の外側が腕に当たり、装着感が悪いし、さらには、前記ガラスプロテクター６０の時計ケース６１への固定が不確実になるという問題点があった。
【０００４】
本発明は、上記の問題点に着目して成されたものであって、その目的とするところは、時計を腕に装着したときの装着感が良好になり、しかも、ガラスプロテクターの時計ケースへの固定が確実になるガラスプロテクター固定構造を提供することにある。
【０００５】
【課題を解決するための手段】
上記の目的を達成するために、本発明に係わるガラスプロテクター固定構造は、連結部の両端部に立上げ線部とその上端面部に係止凹部をそれぞれ形成したプロテクター係止部材をベゼルのプロテクター固定部に複数装着すると共に、プロテクター係止部材を前記ベゼルを介して時計ケースに固定し、プロテクター部とその左右の先側に係止突起部とが形成されたガラスプロテクターをガラスの上面を覆うようにすると共に、前記係止突起部を前記係止凹部に係脱可能に係止したことを特徴とする。
【０００６】
また、上記の目的を達成するために、本発明に係わるガラスプロテクター固定構造は、ベゼルにプロテクター固定部を複数形成し、ガラスプロテクターの弾性を利用してこのガラスプロテクターを前記プロテクター固定部に固定したことを特徴とする。
【０００７】
また、上記の目的を達成するために、本発明に係わるガラスプロテクター固定構造は、ガラスプロテクターを線材を屈曲成形して構成したことを特徴とする。
【０００８】
そして、前記ガラスプロテクターのガラスの上面を覆うプロテクター部に模様、絵柄、文字、マークの少なくとも一つを形成してもよい。
【０００９】
【作用】
かかる構成により、時計を腕に装着したとき、前記ガラスプロテクターの両端部が腕に当たることがなく装着感が良好ななるし、さらには、前記ガラスプロテクターの時計ケースへの固定が確実になる。
【００１０】
【実施例】
以下、本発明の実施例を図面に基づいて説明する。
【００１１】
（実施例１）
図１は本発明に係わるガラスプロテクター固定構造（実施例１）を備えた腕時計の斜視図、図２の（１）は同腕時計の一部省略した断面図、図２の（２）は  （１）のＰ部の拡大図、図３は同腕時計のベゼルの平面図、図４はガラスプロテクターの斜視図、図５は本発明に係わるガラスプロテクター固定構造（実施例１）を備えた腕時計の分解斜視図である。
【００１２】
腕時計１は時計ケース（外胴）２を備えており、この時計ケース２の上部には周壁部３が形成してあり、この周壁部３の外側にはベゼル装着部４が形成してあり、また、ベゼル装着部４の内側には見返部５とガラス装着部６と段部７と裏蓋装着部８とが形成してある。
【００１３】
前記ベゼル装着部４は水平面部４Ａと垂直面部４Ｂとを有し、この垂直面部４Ｂが逆テーパに形成してある。前記ガラス装着部６は水平面部６Ａと垂直面部６Ｂとを有し、前記段部７は水平面部７Ａと垂直面部７Ｂとを有している。
【００１４】
そして、前記時計ケース２の裏蓋装着部８にはシール部材９を介して裏蓋１０が装着してあり、また、前記見返部５が文字板１１Ａを介してモジュール１１の上側周部を押さえている。そして、前記ガラス装着部６の水平面部６Ａにはガラス（風防ガラス）１２が載せてあり、このガラス１２の周面部と前記垂直面部６Ｂとの間にはシール部材１３が介装してある。
【００１５】
また、ベゼル１４は図２及び図３に示すようにリング状のベゼル本体１５を有しており、このベゼル本体１５の下部には嵌合部１６が形成してあり、この嵌合部１６の内周部１６ａが逆テーパに形成されている。また、ベゼル本体１５の上部にはこのベゼル本体１５の中心に向かって突出する庇状の表示部１７が形成してある。この表示部１７の内周部には、切欠き部よりなるプロテクター挿入部１８Ｌ、１８Ｒが左右にそれぞれ一対形成してあって、左の一対のプロテクター挿入部１８Ｌとこれらプロテクター挿入部１８Ｌに挟まれた表示部１７の左側部位１７Ｌとで左のプロテクター固定部２０Ｌを形成しており、右の一対のプロテクター挿入部１８Ｒとこれらプロテクター挿入部１８Ｒに挟まれた表示部１７の右側部位１７Ｒとで右のプロテクター固定部２０Ｒを形成している。
【００１６】
ガラスプロテクター２１を図４に示す。このガラスプロテクター２１は線材を屈曲成形して、略平行な一対のプロテクター部２２、２３と、これのプロテクター部２２、２３の左右に位置する係止部２４Ｌ、２４Ｒを形成して成り、左の係止部２４Ｌは、前記プロテクター部２２、２３に略直交する連結部でもある係止線部２６の両端に立上り線部２７、２８を形成して成り、これらの立上り線部２７、２８がプロテクター部２２、２３の左端部に連なっている。また、右の係止部２４Ｒは、両線端部２９、３０から成る係止線部３１の両端に立上り線部３２、３３を形成して成り、これらの立上り線部３２、３３がプロテクター部２２、２３の右端部に連なっている。
【００１７】
そして、前記ガラスプロテクター２１を前記ベゼル１４の下から、その左の係止部２４Ｌを左のプロテクター固定部２０Ｌに、右の係止部２４Ｒを右のプロテクター固定部２０Ｒにそれぞれ係止し、前記ベゼル１４の嵌合部１６の逆テーパ状の内周部１６ａを前記ベゼル装着部４の逆テーパ状の垂直面部４Ｂに嵌合して前記ベゼル１４がベゼル装着部４に設けてあり、前記ガラスプロテクター２１が腕時計１に装着されている。
【００１８】
この場合、前記ベゼル１４の表示部１７の下面部１７ａは前記段部７の水平面部７Ａに対向していて、左右に断面コ字形状の空間部１９が形成してあり、左の空間部１９に左の係止部２４Ｌが挿入されており、右の空間部１９と右の係止部２４Ｒが挿入されている。そして、左の係止部２４Ｌの立上り線部２７、２８が左のプロテクター固定部２０Ｌの一対のプロテクター挿入部１８Ｌに挿入されると共に、前記係止線部２６が左の空間部１９に挿入されるし、右の係止部２４Ｒの立上り線部３２、３３が右のプロテクター固定部２０Ｒの一対のプロテクター挿入部１８Ｒに挿入されると共に、前記係止線部３１が右の空間部１９に挿入され、前記プロテクター部２２、２３が前記ガラス１２の表面を横切り、このガラス１２を保護している。
【００１９】
上記の実施例１によれば、ベゼル１４を時計ケース２に装着することにより前記ガラスプロテクター２１の時計ケース２への固定ができるし、ベゼル１４を時計ケース２から外すことにより前記ガラスプロテクター２１の時計ケース２への固定を解除することができる。また、時計を腕に装着したとき、前記ガラスプロテクター２１の両端部が腕に当たることがなく装着感が良好ななるし、さらには、前記ガラスプロテクター２１の時計ケース２への固定が確実になる。しかも、ベゼル１４を外して前記ガラスプロテクター１２の時計ケース２への固定を解除すると同時に、ガラス１２の外し（交換）が可能になる。
【００２０】
（実施例２）
本発明のガラスプロテクター固定構造の実施例２を図６乃至図８に示す。この実施例２におけるガラスプロテクター２１は、線材から成る一対のプロテクター部２２、２３をその左右において連結材２２ａ、２３ａで互いに連結し、これのプロテクター部２２、２３の左右に係止部２４Ｌ、２４Ｒを形成して成る。
【００２１】
そして、左の係止部２４Ｌは、前記プロテクター部２２、２３の左端部を略直角に曲げて立上り線部３４Ｌ、３５Ｌを形成し、前側の立上り線部３４Ｌの先側を前方に略直角に曲げて係止線部３６Ｌを形成し、後側の立上り線部３５Ｌの先側を後方に略直角に曲げて係止線部３７Ｌを形成して構成されている。
【００２２】
また、右の係止部２４Ｒは、前記プロテクター部２２、２３の右端部を略直角に曲げて立上り線部３４Ｒ、３５Ｒを形成し、前側の立上り線部３４Ｒの先側を前方に略直角に曲げて係止線部３６Ｒを形成し、後側の立上り線部３５Ｒの先側を後方に略直角に曲げて係止線部３７Ｒを形成して構成されている。
【００２３】
また、実施例２においては、前記ベゼル１４は、その嵌合部１６の逆テーパ状の内周部１６ａを前記ベゼル装着部４の逆テーパ状の垂直面部４Ｂに嵌合してベゼル装着部４に設けてある。しかも、前記表示部１７の内周部には、切欠き部よりなるプロテクター挿入部１８Ｌ、１８Ｒが左右にそれぞれ一対形成してあるが、これらのプロテクター挿入部１８Ｌ、１８Ｒの大きさは、前記ガラスプロテクター２１の係止線部３６Ｌ、３７Ｌ、３６Ｒ、３７Ｒの長さ寸法よりやや大きくしてある。そして、左の一対のプロテクター挿入部１８Ｌとこれらプロテクター挿入部１８Ｌの外方に位置する表示部１７の下面部とで左のプロテクター固定部２０Ｌを形成しており、右の一対のプロテクター挿入部１８Ｒとこれらプロテクター挿入部１８Ｒの外方に位置する表示部１７の下面部とで右のプロテクター固定部２０Ｒを形成している。
【００２４】
したがって、前記ガラスプロテクター２１の立上り線部３４Ｌ、３５Ｌ、３４Ｒ、３５Ｒを指で挟んで図７に点線で示すように内方に弾性変形させた状態で前記係止線部３６Ｌ、３７Ｌ、３６Ｒ、３７Ｒをプロテクター挿入部１８Ｌ、１８Ｒに挿入して、指を離して立上り線部３４Ｌ、３５Ｌ、３４Ｒ、３５Ｒを外方に弾性復帰させることにより、係止線部３６Ｌ、３７Ｌを左のプロテクター固定部２０Ｌに、係止線部３６Ｒ、３７Ｒを右のプロテクター固定部２０Ｒにそれぞれ挿入係止して、前記ガラスプロテクター２１が腕時計１に装着されていて、前記プロテクター部２２、２３が前記ガラス１２の表面を横切り、このガラス１２を保護している。
【００２５】
上記の実施例２によれば、ガラスプロテクター２１を指で挟んでこのガラスプロテクター２１の弾性による前記プロテクター固定部２０Ｌ、２０Ｒへの固定を解除することが可能になる。また、時計を腕に装着したとき、前記ガラスプロテクター２１の両端部が腕に当たることがなく装着感が良好ななるし、さらには、前記ガラスプロテクター２１の時計ケース２への固定が確実になる。しかも、ベゼル１４を外して前記ガラスプロテクター２１の時計ケース２への固定を解除すると同時に、ガラス１２の外し（交換）が可能になる。
【００２６】
（実施例３）
本発明のガラスプロテクター固定構造の実施例３を図９乃至図１１に示す。この実施例３におけるガラスプロテクター固定構造は、ガラスプロテクター２１を固定するための固定手段に前記ベゼル１４が有するプロテクター係止部２０Ｌ、２０Ｒではなく、このベゼル１４に取り付けられた別のプロテクター係止部材３８Ｌ、３８Ｒを用いている。
【００２７】
すなわち、左のプロテクター係止部材３８Ｌは連結部３９Ｌの両端部に立上げ線部４０、４１を形成し、これらの立上げ線部４０、４１の上端面部に係止凹部４２を形成して構成されている。右のプロテクター係止部材３８Ｒは連結部３９Ｒの両端部に立上げ線部４３、４４を形成し、これらの立上げ線部４３、４４の上端面部に係止凹部４２を形成して構成されている。
【００２８】
また、前記ガラスプロテクター２１は、線材から成る一対のプロテクター部２２、２３をその左右において連結材２２ａ、２３ａで互いに連結し、これのプロテクター部２２、２３の左右に係止部２４Ｌ、２４Ｒを形成して成る。
【００２９】
そして、左の係止部２４Ｌは、前記プロテクター部２２、２３の左端部を略直角に曲げて立上り線部３４Ｌ、３５Ｌを形成し、これら立上り線部３４Ｌ、３５Ｌの先側に係止突起部４６を形成して構成されている。また、右の係止部２４Ｒは、前記プロテクター部２２、２３の右端部を略直角に曲げて立上り線部３４Ｒ、３５Ｒを形成し、これら立上り線部３４Ｒ、３５Ｒの先側に係止突起部４６を形成して構成されている。
【００３０】
そして、前記係止部材３８Ｌ、３８Ｒを前記ベゼル１４の下から、その左のプロテクター係止部材３８Ｌを左のプロテクター係止部２０Ｌに、右のプロテクター係止部材３８Ｒを右のプロテクター係止部２０Ｒにそれぞれ係止し、前記ベゼル１４の嵌合部１６の逆テーパ状の内周部１６ａを前記ベゼル装着部４の逆テーパ状の垂直面部４Ｂに着脱可能に嵌合して前記ベゼル１４がベゼル装着部４に設けてあり、前記プロテクター係止部材３８Ｌ、３８Ｒが腕時計１に装着されている。
【００３１】
この場合、左のプロテクター係止部材３８Ｌの立上り線部４０、４１が左のプロテクター係止部２０Ｌの一対のプロテクター挿入部１８Ｌに挿入されると共に、右のプロテクター係止部材３８Ｒの立上り線部４３、４４が右のプロテクター係止部２０Ｒの一対のプロテクター挿入部１８Ｒに挿入される。
【００３２】
そして、前記ガラスプロテクター２１は、これの係止突起部４６を、左右のプロテクター係止部材３８Ｌ、３８Ｒの立上り線部４０、４１、４３、４４の係止凹部４２に係止して腕時計１に装着されており、前記プロテクター部２２、２３が前記ガラス１２の表面を横切り、このガラス１２を保護している。
【００３３】
上記の実施例３によれば、プロテクター係止部材３８Ｌ、３８Ｒをベゼル１４に装着し、このプロテクター係止部材３８Ｌ、３８Ｒにガラスプロテクター２１を係脱可能に係止したことにより、ガラスプロテクター２１をプロテクター係止部材３８Ｌ、３８Ｒに係脱可能に係止して、このガラスプロテクター２１を固定し、ガラスプロテクター２１をプロテクター係止部材３８Ｌ、３８Ｒから外すことによりガラスプロテクター２１の固定を解除することが可能になる。また、時計を腕に装着したとき、前記ガラスプロテクター２１の両端部が腕に当たることがなく装着感が良好になるし、さらには、前記ガラスプロテクター２１の時計ケース２への固定が確実になる。しかも、ベゼル１４を外して前記ガラスプロテクター２１（プロテクター系支部剤３８Ｌ、３８Ｒ）の時計ケース２への固定を解除すると同時に、ガラス１２の外し（交換）が可能になる。
【００３４】
（実施例４）
本発明のガラスプロテクター固定構造の実施例４を図１２乃至図１３に示す。この実施例４におけるガラスプロテクター固定構造が、上記した実施例１のガラスプロテクター固定構造構成と異なる点はガラスプロテクター２１の構成である。
【００３５】
すなわち、このガラスプロテクター２１は、プロテクター部４７と、これのプロテクター部４７の左右に位置する係止部４８Ｌ、４８Ｒを形成して構成されており、プロテクター部４７は平行する側線部４９、５０間に模様部５１を形成して成り、左の係止部４８Ｌは、前記プロテクター部４７に略直交する連結部でもある係止線部５２の両端方に立上り線部５３、５４を形成して成り、これらの立上り線部５３、５４がプロテクター部４７の側線部４９、５０の左端部に連なっている。また、右の係止部４８Ｒは、両線端部５５、５６から成る係止線部５７の両端方に立上り線部５８、５９を形成して成り、これらの立上り線部５８、５９がプロテクター部４７の側線部４９、５０の右端部に連なっている。
【００３６】
そして、前記ガラスプロテクター２１を前記ベゼル１４の下から、その左の係止部４８Ｌを左のプロテクター係止部２０Ｌに、右の係止部４８Ｒを右のプロテクター係止部２０Ｒにそれぞれ係止し、前記ベゼル１４の嵌合部１６の逆テーパ状の内周部１６ａを前記ベゼル装着部４の逆テーパ状の垂直面部４Ｂに嵌合して前記ベゼル１４がベゼル装着部４に設けてあり、前記ガラスプロテクター２１が腕時計１に装着されいる、これにより前記プロテクター部４７が前記ガラス１２の表面を横切り、このガラス１２を保護している。
【００３７】
上記の実施例４によれば、ベゼル１４を時計ケース２に装着することにより前記ガラスプロテクター２１の時計ケース２への固定ができるし、ベゼル１４を時計ケース２から外すことにより前記ガラスプロテクター２１の時計ケース２への固定を解除することができる。また、時計を腕に装着したとき、前記ガラスプロテクター２１の両端部が腕に当たることがなく装着感が良好になるし、さらには、前記ガラスプロテクター２１の時計ケース２への固定が確実になる。しかも、ベゼル１４を外して前記ガラスプロテクター２１の時計ケース２への固定を解除すると同時に、ガラス１２の外し（交換）が可能になる。
【００３８】
また、前記ガラスプロテクター２１のガラス１２の上面を覆うプロテクター部４７に模様部５１を形成することにより、デザイン変化に富み、面白さ、意外性がでて購買性を高めることが可能になる。
【００３９】
なお、実施例４において前記ガラスプロテクター２１のガラス１２の上面を覆うプロテクター部４７に模様部５１を形成したが、この模様部５１に限らず、絵柄、文字、マークでもよい。また、実施例４に限らず、実施例１、実施例２、実施例３においても、前記ガラスプロテクター２１に模様部５１、絵柄、文字、マークの少なくとも一つを形成してもよい。
【００４０】
【発明の効果】
以上説明したように、本発明に係わるガラスプロテクター固定構造は、ガラスの上面を覆うプロテクター部を有するガラスプロテクターをベゼルを介して時計ケースに固定したから、ベゼルを時計ケースに装着することにより前記ガラスプロテクターの時計ケースへの固定ができるし、ベゼルを時計ケースから外すことにより前記ガラスプロテクターの時計ケースへの固定を解除することができる。また、時計を腕に装着したとき、前記ガラスプロテクターの両端部が腕に当たることがなく装着感が良好になるし、前記ガラスプロテクターの時計ケースへの固定が確実になる。しかも、ベゼルを外して前記ガラスプロテクターの時計ケースへの固定を解除すると同時に、ガラスの外し（交換）が可能になる。
【００４１】
また、本発明に係わるガラスプロテクター固定構造は、ベゼルにプロテクター固定部を複数形成し、ガラスプロテクターの弾性を利用してこのガラスプロテクターを前記プロテクター固定部に固定したことにより、ガラスプロテクターを指で挟んでこのガラスプロテクターの弾性による前記プロテクター固定部への固定を解除することが可能になる。また、時計を腕に装着したとき、前記ガラスプロテクターの両端部が腕に当たることがなく装着感が良好になるし、さらには、前記ガラスプロテクターの時計ケースへの固定が確実になる。しかも、ベゼルを外して前記ガラスプロテクターの時計ケースへの固定を解除すると同時に、ガラスの外し（交換）が可能になる。
【００４２】
また、本発明に係わるガラスプロテクター固定構造は、プロテクター係止部材をベゼルに装着し、このプロテクター係止部材にガラスプロテクターを係脱可能に係止したことにより、ガラスプロテクターをプロテクター係止部材に係脱可能に係止して、このガラスプロテクターを固定し、ガラスプロテクターをプロテクター係止部材から外すことによりガラスプロテクターの固定を解除することが可能になる。また、時計を腕に装着したとき、前記ガラスプロテクターの両端部が腕に当たることがなく装着感が良好になるし、さらには、前記ガラスプロテクターの時計ケースへの固定が確実になる。しかも、ベゼルを外して前記ガラスプロテクターの時計ケースへの固定を解除すると同時に、ガラスの外す（交換）が可能になる。
【００４３】
そして、前記ガラスプロテクターを線材を屈曲成形して構成することにより、ガラスプロテクターの構成が簡単になり製作費も安価になる。
【００４４】
また、前記ガラスプロテクターのガラスの上面を覆うプロテクター部に模様、絵柄、文字、マークの少なくとも一つを形成することにより、デザイン変化に富み、面白さ、意外性がでて購買性を高めることが可能になる。
【図面の簡単な説明】
【図１】本発明に係わるガラスプロテクター固定構造を備えた腕時計の斜視図である。
【図２】（１）は同腕時計の一部省略した断面図である。
（２）は（１）のＰ部の拡大図である。
【図３】同腕時計のベゼルの平面図である。
【図４】ガラスプロテクターの斜視図である。
【図５】本発明に係わるガラスプロテクター固定構造（実施例１）を備えた腕時計の分解斜視図である。
【図６】本発明に係わるガラスプロテクター固定構造（実施例２）を備えた腕時計の分解斜視図である。
【図７】同ガラスプロテクター固定構造（実施例２）におけるガラスプロテクター固定前の操作説明図でる。
【図８】同ガラスプロテクター固定構造（実施例２）におけるガラスプロテクター固定後の説明図でる。
【図９】本発明に係わるガラスプロテクター固定構造（実施例３）を備えた腕時計の分解斜視図である。
【図１０】同ガラスプロテクター固定構造（実施例３）におけるガラスプロテクターとプロテクター係止部材との組み合わせ状態の斜視図である。
【図１１】図１０のＡ部の拡大図である。
【図１２】本発明に係わるガラスプロテクター固定構造（実施例４）を備えた腕時計の分解斜視図である。
【図１３】同ガラスプロテクター固定構造（実施例４）におけるガラスプロテクターの斜視図である。
【図１４】従来のガラスプロテクター固定構造によりガラスプロテクターを装着した腕時計の平面図である。
【図１５】同腕時計の裏面図である。
【符号の説明】
２  時計ケース
４  ベゼル装着部
１４  ベゼル
２０Ｌ、２０Ｒ  プロテクター固定部
２１  ガラスプロテクター
２４Ｌ、２４Ｒ  係止部
【図１】
0003621461.tif 000002
【図２】
0003621461.tif 000003
【図３】
0003621461.tif 000004
【図４】
0003621461.tif 000005
【図５】
0003621461.tif 000006
【図６】
0003621461.tif 000007
【図７】
0003621461.tif 000008
【図８】
0003621461.tif 000009
【図９】
0003621461.tif 000010
【図１０】
0003621461.tif 000011
【図１１】
0003621461.tif 000012
【図１２】
0003621461.tif 000013
【図１３】
0003621461.tif 000014
【図１４】
0003621461.tif 000015
【図１５】
0003621461.tif 000016